(57)【要約】【課題】フィルタを介さずに装置内部に外部が入り込むことを抑止可能な画像形成装置を提供する。【解決手段】カバー体Ｃが、通気用の通気開口部５と、周縁部に設けられると共に装置本体側に形成された係合部ｐ１，ｐ２に係合可能な係合片２ａ，２ｂ，３ａと、カバー体Ｃの一方の面に装着されるシート状のフィルタＦに設けられている取付孔１０ａ〜１０ｄに対向した位置で、かつ、一方の面から突出して設けられた爪部６ａ〜６ｄと、一方の面の周縁部から立設されると共にカバー体Ｃが吸排気口に取り付けられた場合に吸排気口に嵌め合わされるガイド枠４とを備える。【選択図】図３
2009236949.tif 000002
【特許請求の範囲】
【請求項１】
装置本体側に設けられた吸排気口に着脱自在に設けられて、その吸排気口を覆う大きさに形成されるカバー体を備える画像形成装置であって、
前記カバー体は、
通気用の通気開口部と、
周縁部に設けられると共に前記装置本体側に形成された係合部に係合可能な係合片と、
前記カバー体の一方の面に装着されるシート状のフィルタに設けられている取付孔に対向した位置で、かつ、前記一方の面から突出して設けられた爪部と、
前記一方の面の周縁部から立設されると共に前記カバー体が前記吸排気口に取り付けられた場合に前記吸排気口に嵌め合わされるガイド枠と
を備えることを特徴とする画像形成装置。
【請求項２】
前記装置本体に形成された係合部が上方に開口される係合孔を備え、前記カバー体に設けられた係合片が下方に延在され、前記カバー体を前記装置本体側に対して上下に移動させることによって前記係合片と前記係合部とを係合あるいは解離させることを特徴とする請求項１記載の画像形成装置。
【発明の詳細な説明】
【技術分野】
【０００１】
本発明は、吸排気口に脱着自在に設けられるカバー体を備える画像形成装置に関するものである。
【背景技術】
【０００２】
従来より、内部に組み込まれている機器を冷却する必要のある装置においては、装置外から外気をフィルタ処理して内部に取り入れ、その取り入れた外気を利用して機器を冷却するようにしている。
例えば、装置が複写機、ファクシミリ、複合機等の画像形成装置においては、内部に組み込まれている光学装置を冷却するために外気をフィルタ処理して取り入れるようにしている。
また、装置内から排出される空気（空気以外の気体を含む。）中に、粉塵等を含んでいてそのまま排出することができない装置においては、排出される空気をフィルタ処理して放出するようにしている。
【０００３】
上述のように、装置外から空気をフィルタ処理して内部に取り入れる場合、または、装置内から排出される空気をフィルタ処理して排出する場合は、空気の通り道である通気ダクトの途中に、あるいは、装置内に外気を吸い込むための吸気口又は装置内から空気を排出するための排気口（本発明において、「吸排気口」というときは、これら両口を含めている。）にフィルタを装着してフィルタ処理が行われるように構成されている（特許文献１，２参照）。
【０００４】
例えば、特許文献１においては、装置内に外気を導くための通気ダクトと装置外から空気を取り入れるためのカバー体との間に、フィルタを配置してフィルタ処理を行うように構成されている。また、特許文献２においては、装置内から排気を導くためのカバー体と装置の外装パネルに設けられている排気口との間に、フィルタを配置してフィルタ処理を行うように構成されている。
フィルタ処理を行うためのフィルタは、フィルタ処理の継続により粉塵等により目詰まりを起こしてしまうので、常時、良好にフィルタ処理が行われるように、定期的に、あるいは目詰まり時にフィルタの交換が行われる。
【特許文献１】特開平８−２６６８３６号公報
【特許文献２】特開平７−１３４５２２号公報
【発明の開示】
【発明が解決しようとする課題】
【０００５】
ところで、カバー体及び通気ダクトの機械的誤差、またフィルタを配置した場合にはフィルタの弾性力等に起因して、カバー体と通気ダクトとの間に隙間が形成される場合がある。
このようにカバー体と通気ダクトとの間に隙間が形成された場合には、一部の外気がフィルタを介さずに装置内部に流れ込む可能性がある。
【０００６】
本発明は、上述する問題点に鑑みてなされたもので、フィルタを介さずに装置内部に外部が入り込むことを抑止可能な画像形成装置を提供することを目的とする。
【課題を解決するための手段】
【０００７】
本発明に係る画像形成装置は、装置本体側に設けられた吸排気口に着脱自在に設けられて、その吸排気口を覆う大きさに形成されるカバー体を備える画像形成装置であって、上記カバー体が、通気用の通気開口部と、周縁部に設けられると共に上記装置本体側に形成された係合部に係合可能な係合片と、上記カバー体の一方の面に装着されるシート状のフィルタに設けられている取付孔に対向した位置で、かつ、上記一方の面から突出して設けられた爪部と、上記一方の面の周縁部から立設されると共に上記カバー体が上記吸排気口に取り付けられた場合に上記吸排気口に嵌め合わされるガイド枠とを備えることを特徴とする。
【０００８】
また、本発明に係る画像形成装置は、上記装置本体に形成された係合部が上方に開口された係合孔を備え、上記カバー体に設けられた係合片が下方に延在され、上記カバー体を上記装置本体側に対して上下に移動させることによって上記係合片と上記係合部とを係合あるいは解離させるという構成を採用する。
【発明の効果】
【０００９】
本発明に係る画像形成装置によれば、カバー体の一方の面の周縁部から立設されると共にカバー体が吸排気口に取り付けられた場合に吸排気口に嵌め合わされるガイド枠を上記カバー体が備える。
このため、カバー体と装置本体との間の隙間を埋める、あるいはカバー体と装置本体との間の隙間の圧力損失を高めることができ、フィルタを介さずに装置内部に外部が入り込むことを抑止可能することが可能となる。
【発明を実施するための最良の形態】
【００１０】
以下、本発明を実施するための最良の形態を図面に基づいて説明する。
図１は、本発明の一実施の形態に係る画像形成装置の斜視図、図２は、カバー体とフィルタとの組み立て状態を示す分解斜視図、図３は、図１のＡ−Ａ線断面図である。なお、これら図面において、各部材を認識可能な大きさとするために、各部材の縮尺を適宜変更している。
【００１１】
カバー体Ｃは、画像形成装置Ｐの側面の外装パネルｐ（装置本体側）に設けられたパネル切欠部ｐ’を埋める大きさに形成されている。このカバー体Ｃの全体形状は、パネル切欠部ｐ’を埋める大きさの矩形状を呈している。なお、このパネル切欠部ｐ’が矩形でなく円形のときは、カバー体Ｃの全体形状もその形状に合わせて円形とされる。
そして、カバー体Ｃが取り付けられていない場合には、パネル切欠部ｐ’に本発明の吸排気口と相当するダクト開口が露出しており、カバー体Ｃは、外装パネルｐに取り付けられた場合にダクト開口を覆うように構成されている。
【００１２】
このカバー体Ｃは、パネル切欠部ｐ’を埋める大きさの矩形状の板材１を有しており、その板材１の下辺両端側には、下方に延在する取付片２ａ，２ｂ（本発明の係合片に相当する）がそれぞれ設けられているとともに、その上辺中央部にも取付片３（本発明の係合片に相当する）が設けられている。
取付片２ａ，２ｂは、カバー体Ｃが画像形成装置Ｐの外装パネルｐに接する側の面（以下、この面を「内面（本発明の一方の面に相当）」という。）から外装パネルｐの厚さよりも少し突出し、かつ、その突出先端部が所定長さ下方に屈曲して形成されている。また、取付片３は、板材１の上辺中央部に設けられた切り欠け部内にその切り欠け部を覆う大きさに形成されていて、内面側に突出すると共に先端が下方に延在された突出片３ａと、その突出片３ａの突出方向と反対側の上面中央部に設けられた操作片３ｂとから構成されている。
一方で、外装パネルｐは、下方に延在する取付片２ａ，２ｂに対応する各々箇所に、上方に開口された係合孔を備える係合部ｐ１を有し、突出片３ａと対応する箇所に、上方に開口された係合孔を備える係合部ｐ２を有している。
このため、本実施形態の画像形成装置においては、カバー体Ｃを外装パネルｐに対して上下に移動させることによって取付片２ａ，２ｂ，３と係合部ｐ１，ｐ２とを係合あるいは解離させることができる。すなわち、カバー体Ｃを外装パネルｐに対して上下に移動させることによってカバー体Ｃの外装パネルｐに対する着脱を行うことができる。
【００１３】
図２及び図３に示すように、ガイド枠４は、板材１の内面側の周縁部に立設されており、矩形状に構成されている。そのガイド枠４の外形形状は、ダクト開口に対応していて、そのダクト開口の大きさよりも少し小さく形成されている。このため、カバー体Ｃが外装パネルｐに取り付けられた場合には、ガイド枠４は、ダクト開口に嵌め合わせれる。
なお、そのガイド枠４の高さは、フィルタの本体（以下、フィルタの本体を含めて「フィルタ」という。）Ｆの厚さと略同じに形成されている。
【００１４】
スリット５，５…は、ガイド枠４内の板材１に設けられており、本発明の通気開口部に相当する。なお、図示の例では、左右二列で、各列の上下方向沿って所定の間隔を保って複数個設けられている。スリット５の数は、板材１、すなわちカバー体Ｃの機械強度を保てる範囲であれば、通気抵抗を少なくできるので多いほど好ましい。なお、ここでは、通気開口部の形状を長孔のスリットとしたが、これを丸孔としてもよい。
【００１５】
爪部６ａ，６ｂ，６ｃ，６ｄは、板材１の内面壁から突出して形成されている。このうち爪部６ａ，６ｂは、板材１の内面のガイド枠４内で、その上部側の左右両側にそれぞれ設けられており、また、爪部６ｃ，６ｄは、ガイド枠４内の下部側の左右両側にそれぞれ設けられている。そして、爪部６ａ，６ｂは、板材１の内面壁からガイド枠４の高さよりも少し突出し、かつ、その突出先端部が所定長さ上方に屈曲して形成されている。また、爪部６ｃ，６ｄは、板材１の内面壁からガイド枠４の高さよりも少し突出し、かつ、その突出先端部が所定長さ下方に屈曲して形成されている。
【００１６】
上述した板材１、取付片２ａ，２ｂ，３、ガイド枠４、スリット５，５…及び爪部６ａ，６ｂ，６ｃ，６ｄは一体的に作られていて、合成樹脂製の成形体として容易に作ることができる。
【００１７】
フィルタＦは、周知のフィルタと同様に、スポンジ等の多孔質体からなり、板材１の内面に設けられたガイド枠４内挿入できるように形成されている。より詳細には、フィルタＦは、ガイド枠４の高さに略等しい厚さを有し、その外形形状は、そのガイド枠４内に間隙を有することなく挿入できる所定厚さの矩形状を呈したシート状に形成されている。
【００１８】
図中、取付孔１０ａ，１０ｂ，１０ｃ，１０ｄは、フィルタＦに爪部６ａ，６ｂ，６ｃ，６ｄに対向して設けられている。このうち取付孔１０ａ，１０ｂは、フィルタＦの上部側の左右両側で、かつ、板材１の内面のガイド枠４内にそれぞれ設けられている爪部６ａ，６ｂに対向した位置にそれぞれ設けられている。また、取付孔１０ｃ，１０ｄは、フィルタＦの下部側の左右両側で、かつ、そのガイド枠４内にそれぞれ設けられている爪部６ｃ，６ｄに対向した位置にそれぞれ設けられている。
したがって、このフィルタＦは、取付孔１０ａ，１０ｂ，１０ｃ，１０ｄを爪部６ａ，６ｂ，６ｃ，６ｄにそれぞれ挿入することにより、容易に板材１、すなわちカバー体Ｃに装着することができる。また、そのカバー体Ｃに装着されたフィルタＦは、爪部６ａ，６ｂ，６ｃ，６ｄから取付孔１０ａ，１０ｂ，１０ｃ，１０ｄをそれぞれ外すことでカバー体ＣからフィルタＦを容易に外すことができる。
【００１９】
ダクトＤは、一端側（図３においては、ダクトＤの右端側）が外装パネルｐのパネル切欠部ｐ’の内側外周に気密状に固定されている。そして、このダクトＤの途中には、ファンＳが設けられていて、外気をスリット５，５…及びフィルタＦを介して画像形成装置Ｐ内に取り入れることができるように構成それている。
【００２０】
上記構成からなる画像形成装置は、カバー体Ｃの内面側の周縁部から立設されると共にカバー体Ｃがダクト開口に取り付けられた場合にダクト開口に嵌め合わされるガイド枠４を上記カバー体Ｃが備える。
このため、ガイド枠４によって、カバー体Ｃと外装パネルｐとの間の隙間を埋める、あるいはカバー体Ｃと外装パネルｐとの間の隙間の圧力損失を高めることができ、フィルタＦを介さずに装置内部に外部が入り込むことを抑止可能することが可能となる。
なお、ガイド枠４は、ダクトＤの内面に当接されるか、ダクトＤに可能な限り近づけて配置することが好ましい。
【００２１】
また、本実施形態の画像形成装置は、下方に延在する取付片２ａ，２ｂ，３ｂに対応する各々箇所に、上方に開口された係合孔を備える係合部ｐ１，ｐ２を有し、カバー体Ｃを外装パネルｐに対して上下に移動させることによって取付片２ａ，２ｂ，３と係合部ｐ１，ｐ２とを係合あるいは解離させることができる。すなわち、カバー体Ｃを外装パネルｐに対して上下に移動させることによってカバー体Ｃの外装パネルｐに対する着脱を行うことができる。したがって、フィルタＦの取替え作業を容易とすることが可能となる。
【００２２】
以上、本発明の一実施の形態について図面を参照して詳説したが、具体的な構成は、上記実施の形態に限定されるものではなく、本発明の要旨を逸脱しない範囲において設計変更等が可能である。
例えば、上述の実施の形態では、ガイド枠４がダクトＤの内面側に配置される構成について説明したが、ガイド枠４がダクトＤの外面側に配置されても良い。
また、上述の実施の形態では、フィルタの四隅を４個の爪部で保持して保持力を高めたが、爪部におけるフィルタの保持力が小さくて済む場合には、中央部に１個の爪部とすることもできる。
さらに、爪部は、板材から突出した構造としたが、この爪部の機能をガイド枠に持たせることもできる。すなわち、ガイド枠の先端部を板材の中心側に少し伸びるように屈曲させ、その屈曲させた部分でフィルタの周囲を保持してもよい。したがって、本発明で爪部というときは、ガイド枠の先端部を屈曲させる場合も含んでいる。
【図面の簡単な説明】
【００２３】
【図１】本発明の一実施の形態に係る画像形成装置の斜視図である。
【図２】カバー体とフィルタとの組み立て状態を示す分解斜視図である。
【図３】図１のＡ−Ａ線断面図である。
【符号の説明】
【００２４】
Ｐ……画像形成装置、ｐ……外装パネル（装置本体側）、ｐ１，ｐ２……係合部、ｐ’……パネル切欠部、Ｃ……カバー体、１……板材、２ａ，２ｂ，３……取付片（係合片）、４……ガイド枠、５……通気開口部、６ａ〜６ｄ……爪部、Ｆ……フィルタ、１０ａ〜１０ｄ……取付孔、Ｄ……ダクト、Ｓ……ファン
【図１】
2009236949.tif 000003
【図２】
2009236949.tif 000004
【図３】
2009236949.tif 000005